(57)【要約】  【課題】  燃焼による熱や電気を用いることなく、携帯性に優れる薬剤拡散装置を提供する。  【解決手段】  本発明の薬剤拡散装置１は、本体部材１１と薬剤貯留部材１２とを有しており、本体部材１１には軸方向に貫通する筒である把持部１４と板状部１３とが設けられている。そして、把持部１４には貫通孔１６が設けられており、把持部１４の内側に配置されている薬剤貯留部材１２の薬剤露出部１７の薬剤１８が貫通孔１６から外部へと拡散する。また、筒状体１４を持って揺動させることにより、薬剤１８の拡散を促進することができる。【選択図】  図１
2005229931.tif 000002
【特許請求の範囲】
【請求項１】
本体部材と、薬剤を貯留可能な薬剤貯留部材とを有し、前記本体部材には把持部と、前記把持部に結合する板状部とが設けられ、前記把持部には薬剤貯留部材の保持が可能な保持部と、前記保持部と外部とをつなぐ貫通する貫通孔を有しており、前記薬剤貯留部材には貯留された薬剤を外部に露出する薬剤露出部が設けられて、前記薬剤貯留部材を保持部により保持した状態で、薬剤を薬剤露出部から前記貫通孔を通じて外部に拡散させることが可能であることを特徴とする薬剤拡散装置。
【請求項２】
貫通孔の貫通方向は板状部の板面に対して垂直方向に形成していることを特徴とする請求項１記載の薬剤拡散装置。
【請求項３】
本体部材と、薬剤を貯留可能な薬剤貯留部材とを有し、前記本体部材には把持部と、前記把持部に結合する板状部とが設けられ、前記把持部には薬剤貯留部材の保持が可能な保持部を有し、前記板状部には薬剤放散板が取り付けられており、前記薬剤貯留部材には貯留された薬剤を外部に露出する薬剤露出部が設けられて、前記薬剤貯留部材を保持部により保持した状態で、薬剤露出部を薬剤放散板に接触することが可能であり、薬剤貯留部材の薬剤を薬剤露出部から薬剤放散板に浸透して外部に拡散させることが可能であることを特徴とする薬剤拡散装置。
【請求項４】
保持部と外部とをつなぐ貫通する貫通孔を有し、薬剤を薬剤露出部から前記貫通孔を通じて外部に拡散させることが可能であることを特徴とする請求項３記載の薬剤拡散装置。
【請求項５】
把持部は筒状であって、保持部は当該筒状の内部に設けられていることを特徴とする請求項１〜４のいずれか記載の薬剤拡散装置。
【請求項６】
本体部材と薬剤貯留部材とが着脱可能であることを特徴とする請求項１〜５のいずれか記載の薬剤拡散装置。
【請求項７】
薬剤貯留部材には容器が設けられて薬剤が直接保持されており、さらに、前記容器内部には弁体が設けられ、薬剤露出部を押圧することにより前記弁が開いて薬剤が薬剤露出部に供給されることを特徴とする請求項１〜６のいずれか記載の薬剤拡散装置。
【請求項８】
薬剤には、有害生物の殺虫又は忌避による防除が可能な有効成分が含まれていることを特徴とする請求項１〜７のいずれかに記載の薬剤拡散装置。
【請求項９】
本体部材と、薬剤を貯留可能な薬剤貯留部材とを有し、前記薬剤貯留部材には貯留された薬剤を外部に露出する薬剤露出部が設けられており、本体部材は手動により風を起こすことが可能であり、当該風により薬剤露出部からの拡散を促進させることが可能であることを特徴とする薬剤拡散装置。
【発明の詳細な説明】
【技術分野】
【０００１】
本発明は、薬剤を拡散させるための装置であり、特に、携帯や使用に便利な薬剤拡散装置に関するものである。
【背景技術】
【０００２】
従来より、薬剤を熱などにより有効成分を蒸散させる虫除け器や蚊取り線香などが用いられている。
【０００３】
薬剤を熱などにより有効成分を蒸散させる虫除け器では、薬剤を加熱して蒸散させて虫除けを行う。蚊取り線香の場合には、燃焼による熱を用いて有効成分を揮発・拡散させて、虫除けを行う。
【０００４】
また、特許文献１には、有効成分を放出させる装置が開示されている。
【特許文献１】特開平９−１９４９１号公報
【発明の開示】
【発明が解決しようとする課題】
【０００５】
上記した従来技術の虫除け器などでは、燃焼による熱や電気を用いて有効成分を蒸散させるため、場合によっては煙によって使用者に不快感を与えたり、時には携帯性に問題があった。
【０００６】
また、火源や電気を必要とするため、火源や電気が無い場合には使用することができなかった。
【０００７】
そこで、本発明の目的は、携帯性に優れ、電気や火源を必要としない薬剤拡散装置を提供することを課題とするものである。
【課題を解決するための手段】
【０００８】
そして、上記した目的を達成するための請求項１記載の発明は、本体部材と、薬剤を貯留可能な薬剤貯留部材とを有し、前記本体部材には把持部と、前記把持部に結合する板状部とが設けられ、前記把持部には薬剤貯留部材の保持が可能な保持部と、前記保持部と外部とをつなぐ貫通する貫通孔を有しており、前記薬剤貯留部材には貯留された薬剤を外部に露出する薬剤露出部が設けられて、前記薬剤貯留部材を保持部により保持した状態で、薬剤を薬剤露出部から前記貫通孔を通じて外部に拡散させることが可能であることを特徴とする薬剤拡散装置である。
【０００９】
請求項１記載の発明によれば、把持部を持って板状部を動かして風を起こすことが可能であり、また、貫通孔から揮発した薬剤を確実に拡散させることができる。
【００１０】
請求項２記載の発明は、貫通孔の貫通方向は板状部の板面に対して垂直方向に形成していることを特徴とする請求項１記載の薬剤拡散装置である。
【００１１】
請求項２記載の発明によれば、貫通の貫通方向孔は板状部の板面に対して垂直方向に形成しているので、貫通孔が板状部を動かして風を起こす際の把持部の動作方向にされるので、風を起こしながら貫通孔から薬剤が拡散されやすい。
【００１２】
請求項３記載の発明は、本体部材と、薬剤を貯留可能な薬剤貯留部材とを有し、前記本体部材には把持部と、前記把持部に結合する板状部とが設けられ、前記把持部には薬剤貯留部材の保持が可能な保持部を有し、前記板状部には薬剤放散板が取り付けられており、前記薬剤貯留部材には貯留された薬剤を外部に露出する薬剤露出部が設けられて、前記薬剤貯留部材を保持部により保持した状態で、薬剤露出部を薬剤放散板に接触することが可能であり、薬剤貯留部材の薬剤を薬剤露出部から薬剤放散板に浸透して外部に拡散させることが可能であることを特徴とする薬剤拡散装置である。
【００１３】
請求項３記載の発明によれば、把持部を持って板状部を動かして風を起こすことが可能であり、板状部の薬剤放散板から揮発した薬剤を確実に拡散させることができる。
また、薬剤放散板の毛管力を薬剤露出部よりも強いものを用いることにより、薬剤放散板への薬剤の移動を促進させることができる。
【００１４】
請求項４記載の発明は、保持部と外部とをつなぐ貫通する貫通孔を有し、薬剤を薬剤露出部から前記貫通孔を通じて外部に拡散させることが可能であることを特徴とする請求項３記載の薬剤拡散装置である。
【００１５】
請求項４記載の発明によれば、板状部の薬剤放散板から薬剤を蒸散させながら、貫通孔からも揮発させることができる。
【００１６】
請求項５記載の発明は、把持部は筒状であって、保持部は当該筒状の内部に設けられていることを特徴とする請求項１〜４のいずれか記載の薬剤拡散装置である。
【００１７】
請求項５記載の発明によれば、把持部は筒状であって、保持部は当該筒状の内部に設けられているので、把持部の製作がしやすく持ちやすい。
【００１８】
請求項６記載の発明は、本体部材と薬剤貯留部材が着脱可能であることを特徴とする請求項１〜５のいずれか記載の薬剤拡散装置である。
【００１９】
請求項６記載の発明によれば、本体部材と薬剤貯留部材が着脱可能であるので、薬剤貯留部材の交換を行うことにより再度使用することができる。
【００２０】
請求項７記載の発明は、薬剤貯留部材には容器が設けられて薬剤が直接保持されており、さらに、前記容器内部には弁体が設けられ、薬剤露出部を押圧することにより前記弁が開いて薬剤が薬剤露出部に供給されることを特徴とする請求項１〜６のいずれか記載の薬剤拡散装置である。
【００２１】
請求項７記載の発明によれば、前記容器内部には弁体が設けられ、薬剤露出部を押圧することにより前記弁が開いて薬剤が薬剤露出部に供給されるので、必要な時に必要なだけ薬剤を供給することができる。
【００２２】
薬剤の有効成分は、有害生物の殺虫又は忌避による防除が可能であるものを採用することができる（請求項８）。
【００２３】
請求項９記載の発明は、本体部材と、薬剤を貯留可能な薬剤貯留部材とを有し、前記薬剤貯留部材には貯留された薬剤を外部に露出する薬剤露出部が設けられており、本体部材は手動により風を起こすことが可能であり、当該風により薬剤露出部からの拡散を促進させることが可能であることを特徴とする薬剤拡散装置である。
【００２４】
請求項９記載の発明によれば、本体部材は手動により風を起こすことが可能であり、当該風により薬剤露出部からの拡散を促進させることができる。
【発明の効果】
【００２５】
本発明の薬剤拡散装置は、携帯性に優れ、電気や火源がなくても使用が可能である。
【発明を実施するための最良の形態】
【００２６】
以下さらに本発明の具体的実施例について説明する。
本発明の第１の実施形態の薬剤拡散装置１は、図１に示されており、本体部材１１と薬剤貯留部材１２とを有している。
【００２７】
本体部材１１は板状部１３と板状部１３と結合する把持部１４とを有し、外観は団扇状である。板状部１３は、骨部１３ａにシート部１３ｂを貼り付けて形成され、全体では所定の面積を持つ板状である。
【００２８】
骨部１３ａは板状部１３の全体に面状に形成されており、図１に示されるように、扇中心２０から放射状に延びる部分を有し、また全体の縁をつなぐ部分を有している。したがって、後述するように、把持部１４を持って、板状部１３の面に対して垂直な方向に動かす場合に強度が高い。また、骨部１３ａは、樹脂などの成形品が用いられている。
【００２９】
シート部１３ｂは、例えば紙が用いられており、骨部１３ａに貼り付けられている。また、シート部１３ｂの表面に印刷などを行うことができる。なお、シート部１３ｂに、例えば、薬剤１８が浸透可能なフェルトなどを使用し、シート部１３ｂを用いて薬剤１８を拡散させる機能を付与することもできる。
【００３０】
把持部１４は円筒状であり、内部に保持部１９が設けられている。保持部１９は、把持部１４の軸方向に貫通する穴である。また、把持部１４には保持部１９と外部とをつなぐ貫通孔１６が胴部に設けられている。
【００３１】
貫通孔１６は、把持部１４の一端側付近に設けられており、軸方向に対して垂直な方向に対向するように２カ所設けられている。また、２カ所の貫通孔１６の対向する方向は、板状部１３の面に垂直な方向であり、２カ所の貫通孔１６により、板状部１３の面に垂直な方向に貫通するように設けられている。なお、貫通孔１６は、２カ所に限られることはなく、１カ所でもよく、３カ所以上であってもよい。
【００３２】
また、板状部１３は把持部１４の一端側で把持部１４に固定されている。そして、把持部１４の固定位置は板状部１３の扇中心２０付近である。
【００３３】
本体部材１１は把持部１４と板状部１３とが連結して固定されているので、団扇であおぐように、把持部１４を持ちながら板状部１３を揺動させることができ、板状部１３によって、手動で風を起こすことができる。また、この揺動により、貫通孔１６を通じて把持部１４の内部から外部への気体の流れを促進させることができ、後述する薬剤１８の拡散を確実に行うことができる。また、骨部１３ａには、扇中心２０から放射状に延びる部分を有しているので強度が高く、シート部１３ｂが破損しにくい。
【００３４】
薬剤貯留部材１２は、図１、図２に示されており、長尺の容器２９の内部に薬剤１８を充填して容器２９の内部に薬剤１８が貯留されている。また、薬剤貯留部材１２には繊維束からなる薬剤露出部１７が設けられている。
【００３５】
薬剤１８は液体状である。薬剤１８には防虫効果を有して常温で揮発する有効成分が含まれている。そして、防虫効果を有して常温で揮発する有効成分の具体例として、エンペントリン、２，３，５，６−テトラフルオロ−４−メトキシメチルベンジル  ３−（１−プロペニル）−２，２−ジメチルシクロプロパンカルボキシラート（以下、化合物（Ａ）と記すこともある。）、２，３，５，６−テトラフルオロ−４−メトキシメチルベンジル  ３−（２−メチル−１−プロペニル）−２，２−ジメチルシクロプロパンカルボキシラート、１−エチニル−２−メチル−２−ペンテニル  ３−（２−クロロ−２−フルオロビニル）−２，２−ジメチルシクリプロパン−１−カルボキシラート、２，３，５，６−テトラフルオロ−４−メチルベンジル  ３−（２−メチル−１−プロペニル）−２，２−ジメチルシクロプロパンカルボキシラート、２，３，５，６−テトラフルオロ−４−メチルベンジル  ３−（２−クロロ−２−フルオロビニル）−２，２−ジメチルシクロプロパンカルボキシラート、２，３，５，６−テトラフルオロ−４−メチルベンジル  ３−（１−プロペニル）−２，２−ジメチルシクロプロパンカルボキシラート、１−エチニル−２−フルオロ−２−ペンテニル  ３−（２，２−ジクロロビニル）−２，２−ジメチルシクロプロパンカルボキシラート、１−エチニル−２−メチル−２−ペンテニル  ３−（２，２−ジクロロビニル）−２，２−ジメチルシクロプロパンカルボキシラート、トランスフルスリン、テラレトリン、フラメトリン、テフルスリン、プラレトリン、アレスリン等のピレスロイド系化合物、フェニトロチオン、ジクロロボス等の有機リン系化合物、ＢＰＭＣ，メトキサジアゾン等のカーバメート系化合物、メソプレン、ハイドロプレン等の幼若ホルモン様化合物、３，４−カランジオール、Ｎ，Ｎ−ジエチル−ｍ−トルアミド、ｐ−メンタン−３，８−ジオール、ヒソップ油の植物精油等がある。
これらの有効成分の多くは常温で液体であり、そのまま薬剤としても使用可能である。
また、本発明に使用する有効成分は、Ｄｏｎｏｖａｎ法による２５℃における蒸気圧が１×１０-5〜５×１０-3mmHgであることが望ましい。
ここで、Ｄｏｎｏｖａｎ法とは、New method for estimating vapor pressure by the use of gas chromatography : Journal of Chromatography A. 749 (1996) 123-129 にてStephen F.Donovan 氏によって報告された方法である。
【００３６】
通常、常温で液体の有効成分はそのまま後述のような有効成分を保持するための容器に充填して用いることができるが、当該有効成分をエタノール、イソプロピルアルコールなどのアルコール類、ポリエチレングリコール、１，３−ブチレングリコール、エチレングリコールモノブチルエーテル、プロピレングリコールモノメチルエーテル、ジプロピレングリコールモノメチルエーテルなどの多価アルコール類、イソペンタン、軽質イソパラフィンや軽質流動イソパラフィン（出光石油化学：ＩＰソルベント１６２０、２０２８、２８３５  エクソンモービル：アイソパーＥ、Ｇ、Ｈ、Ｌ、Ｍ）、ＪＩＳ１号灯油や２号灯油、アルキルベンゼンなどの炭化水素系溶剤、酢酸エチル、ミリスチン酸イソプロピル、アジピン酸ジイソプロピル、クエン酸トリブチルアセテートなどのエステル類、のうちから選択したいずれか、又は、それらの混合物で適宜希釈して得られる薬液を前記容器２９に充填して用いることもできる。
【００３７】
薬剤露出部１７は容器２９の開口１２ａに設けられており、容器２９の内部１２ｂに貯留されている薬液１８を薬剤露出部１７に供給することができる。また、薬剤露出部１７は、薬剤貯留部材１２の長手方向の一端に配置されている。
【００３８】
薬剤貯留部材１２の外形の断面形状は円であり、把持部１４の内部の保持部１９の形状とほぼ等しく、薬剤貯留部材１２を把持部１４に挿入することができる。また、薬剤貯留部材１２を薬剤露出部１７側から把持部１４に完全に挿入して、図１に示される状態とすると、薬剤露出部１７が貫通孔１６付近に位置する。
【００３９】
薬剤１８は、例えば、常温で揮発性を有するものが適しており、その有効成分として、有害生物の殺虫又は忌避による防除が可能であるものが含まれている。また、幼児などが誤ってなめたり飲んだりすることを防止するために、辛子成分を添加ことが望ましい。
なお、薬剤１８を蒸散させる目的は、防虫目的以外であってもよく、例えば、芳香目的に用いることもできる。この場合には芳香性を有する有効成分を含む薬剤１８が用いられる。さらに、芳香と防虫との両者のための有効成分を含む薬剤１８でもよく、また、防虫や芳香以外の他の目的であってもよい。
【００４０】
そして、本発明の薬剤拡散装置１を使用する場合には、薬剤貯留部材１２を薬剤露出部１７側を把持部１４の他端側（図１における下側）から挿入する。そして、図１に示されるように、薬剤貯留部材１２を完全に挿入する。
【００４１】
そうすると、薬剤露出部１７は把持部１４の保持部１９であって、貫通孔１６付近であり、具体的には、薬剤露出部１７が貫通孔１６を通して外部から見える位置にする。したがって、薬剤露出部１７に供給された薬剤１８は、貫通孔１６から外部に拡散することが可能となる。特に、貫通孔１６が２カ所設けられているので、外部の空気が一方の貫通孔１６から筒状軸部１４の内部に至り、さらに、他方の貫通孔１６から外部に抜ける一連の流れを形成することができるので、拡散させやすい。
【００４２】
なお、薬剤露出部１７が貫通孔１６を通して外部から見えない位置であっても、貫通孔１６に通じていれば拡散することができる。また、把持部１４の板状部１３側に薬剤露出部１７と接触可能であって、薬剤１８の浸透・放散が可能な部材を設けて、薬剤貯留部材１２を挿入した状態で薬剤露出部１７とかかる部材とを接触する様にして、薬剤１８の放散を促進することもできる。
【００４３】
一方、把持部１４の他端側（図１における下側）は、薬剤貯留部材１２自身により塞がれるので、ここからは薬剤１８がほとんど蒸散しない。
【００４４】
そして、前記したように、把持部１４を持って、板状部１３の面に対して垂直な方向に動かすことにより、板状部１３を揺動させて手動で風を発生させることができる。さらに、この動作により、貫通孔１６から外部への空気の流れを促進して、薬剤１８の拡散を確実に行うことができる。特に、貫通孔１６の位置は、板状部１３の面に垂直な方向に貫通するように設けられているので、上記動作により、把持部１４の内部の空気が移動しやすい。
【００４５】
また、薬剤拡散装置１を使用しない場合には、薬剤貯留部材１２を本体部材１１の保持部１９から取り外しておくことが可能である。さらに、この場合に、後述するようなふた部材５１などを用いて、薬剤貯留部材１２の薬剤露出部１７を密閉し、薬剤の拡散を防止することが可能である。
さらに、薬剤貯留部材１２の薬剤１８が無くなった場合には、新たな薬剤貯留部材１２を本体部材１１の保持部１９に取り付けることにより、本体部材１１を再利用することができる。
【００４６】
次に、本発明の第２の実施形態である薬剤拡散装置２について説明する。
薬剤拡散装置２は、図３に示されるように、本体部材３１と薬剤貯留部材１２とを有している。
【００４７】
本体部材３１は板状部３３と把持部３４とを有している。図３、図４に示されるように、板状部３３は、骨部３３ａに拡散シート３３ｂを貼り付けて形成されている。また、図４に示されるように、骨部３３ａは第１の実施形態の骨部１３ａと同様な構造であり、骨部３３ａは面状に形成され、扇中心２０から放射状に延びる部分を有している。
【００４８】
拡散シ−ト３３ｂは、薬剤１８の浸透性がよい材質のシートであり、具体的にはフェルトや濾紙などが用いられている。
また、拡散シート３３ｂの一部は、図３、図４に示されるように、把持部３４の一端側に挿入される挿入部３７が設けられている。挿入部３７の端部３７ａは、後述するように、薬剤貯留部材１２の薬剤露出部１７と接触させることができる。
【００４９】
把持部３４は第１の実施形態の把持部１４と比べて、貫通孔１６が設けられていない点以外は同様な構造であり、軸方向に貫通する円筒状である。また、把持部３４の一端側で板状部１３に固定されている。そして、把持部３４の固定位置は板状部３３の扇中心２０付近である。
【００５０】
本体部材３１は把持部３４と板状部３３とが連結しているので、把持部３４を持ちながら、板状部３３を揺動させることができ、板状部３３によって、手動で風を発生することができる。そして、薬剤１８の拡散を確実に行うことができる。
【００５１】
薬剤貯留部材１２は、図６に示されており、第１の実施形態と同様であり、長尺の容器２９内部に薬剤１８が充填されている。また、薬剤貯留部材１２には繊維束からなる薬剤露出部１７が設けられている。この薬剤露出部１７は薬剤貯留部材１２の容器２９内部につながる開口１２ａに設けられており、容器内部１２ｂに貯留されている薬液１８を薬剤露出部１７に供給することができる。
薬剤露出部１７は、薬剤貯留部材１２の長手方向の一端に配置されている。
【００５２】
薬剤貯留部材１２の外形の断面形状は円状であり、把持部３４の内部の断面の形状とほぼ等しく、薬剤貯留部材１２を把持部３４に挿入することができる。また、薬剤貯留部材１２を把持部３４に挿入して、図３に示される状態とすると、薬剤露出部１７が挿入部３７の端部３７ａと接触させることができる。
【００５３】
そして、本発明の薬剤拡散装置２を使用する場合には、第１の実施形態と同様に、薬剤貯留部材１２を薬剤露出部１７側から把持部３４に挿入して、図３に示されるように、薬剤貯留部材１２を完全に挿入する。
【００５４】
そうすると、薬剤露出部１７が挿入部３７の端部３７ａと接触するので、薬剤１８は、薬剤露出部１７に供給され、さらに、端部３７ａから拡散シート３３ｂ全体に拡散する。そして、拡散シート３３ｂ全体から薬剤１８が蒸散していく。
【００５５】
さらに、把持部３４を持って、板状部３３の面に対して垂直な方向に動かすことにより、板状部１３を揺動させて手動で風を発生させ、拡散シート３３ｂ全体に拡散した薬剤の蒸散を促進させることができ、薬剤１８の拡散を確実に行うことができる。
【００５６】
また、薬剤拡散装置２を使用しない場合や、薬剤１８の交換は、第１の実施形態の薬剤拡散装置１と同様に行うことができる。
【００５７】
上記薬剤拡散装置１、２で用いられる薬剤貯留部材１２は、把持部１４，３４に挿入可能であり、薬剤１８の露出が可能な薬剤露出部１７が設けられていればよいが、以下のような構造を持つ薬剤貯留部材５０、６０、７０、８０を用いることができる。
【００５８】
図７には、薬剤貯留部材５０が示されている。
薬剤貯留部材５０は、開口１２ａを有する円筒状の筒型の容器５３が設けられ、開口１２ａには繊維束５２が設けられている。そして、繊維束５２の外部に露出した部分が薬剤露出部１７となる。容器５３には、開口１２ａ側の胴部に縮径部５４が設けられており、縮径部５４は他の部分より細い。縮径部５４には、本体側突起５５を有しており、本体側突起５５は周状に設けられている。そして、後述するように、キャップ５１の穴部５９に突起５６ａ、５６ｂを設け、本体側突起５５と突起５６ａ、５６ｂとによって、気密した状態で固定させることができる。
【００５９】
そして、容器５３の内側には内部空間５７を有しており、内部空間５７には中芯部材５８を有している。中芯部材５８は、円柱状をしており、中芯覆い部５８ａと繊維部５８ｂからなる。中芯覆い部５８ａは樹脂製のフィルムであり円筒状しており、繊維部５８ｂを覆っている。
また、繊維部５８ｂはポリエステル繊維、ポリアクリル繊維、綿などの繊維を円柱状にしたものであり、後述する有効成分を分散させた薬剤１８をしみこませている。
【００６０】
そして、薬剤拡散装置１、２を使用する際には、繊維部５８に保持されている薬剤１８が、繊維束５２の薬剤露出部１７に移動し、薬剤露出部１７から蒸散し、又は、拡散シート３３ｂに移動して、薬剤１８の拡散が行われる。
【００６１】
また、図７に示されるように、薬剤貯留部材５０に係合可能なキャップ５１を、薬剤貯留部材５０を使用しない際に、薬剤露出部１７を密閉することにより、薬剤露出部１７からの薬剤１８の揮発を防ぐことが可能となる。そして、キャップ５１には穴部５９が設けられており、容器５３の縮径部５４を穴部５９に挿入することにより密閉が行われる。具体的には、キャップ５１を容器５３に取り付ける場合には、キャップ５１の穴部５９の突起５６ａ、５６ｂと容器５３の本体側突起５５とを用いて密着させながら、キャップ５１と容器５３との係合が行なわれる。
【００６２】
この係合は、キャップ５１を容器５３に挿入することにより、キャップ５１又は容器５０の縮径部５４が弾性変形して、キャップ５１の突起５６ａが、相対的に本体側突起５５を乗り越えて行われるものである。また、キャップ５１の突起５６ａの奥に設けられている突起５６ｂと、容器５３の縮径部５４とを密着させることにより気密性を確保することができる。
【００６３】
また、このような係合と気密とを兼ね備えたキャップ５１の構造を把持部１４、３４に応用して、固定位置を確実にしつつ、他の部分から薬剤１８の漏洩を防ぐことができる。
具体的には、図１１に示されるように、把持部１４、３４の内部に段部３９を設けて、段部３９の板状部１３、３３側に縮径部３８を設ける。縮径部３８にはキャップ５１の穴部５９と同様に、内面に周状に突出する突起９１、９２を設ける。そして、縮径部３８の内径は容器５３の縮径部５４やや大きくして、容器５３の縮径部５４を挿入可能としておく。
【００６４】
そして、図１１（ａ）の状態から図１１（ｂ）を経て図１１（ｃ）の状態となる様に挿入していくと、容器５３の突起５４が突起９１を乗り越えることにより、容器５３と把持部１４、３４とが係合する。また、突起９１、９２は、容器５３の縮径部５４と密着するので気密性を確保することができる。
【００６５】
さらに、図８に示されるような薬剤貯留部材６０を用いることができる。
薬剤貯留部材６０は、図７に示される薬剤貯留部材５０のように中芯部材５８が設けられておらず、容器６３、ホルダー６６及び多孔質体である樹脂成形部材６２とを有している。樹脂成形部材６２の露出した部分が薬剤露出部１７となる。
【００６６】
容器６３は一方側が開口状であり、容器６３に薬剤１８が直接充填されている。
ホルダー６６は略円筒状であって、先端に開口１２ａを有し、容器６３に連結している。ホルダー６６の内部には開口１２ａにつながって軸方向に向いている貫通孔６７ａを有して、内部に中継芯６７が設けられている。さらに、ホルダー６６の外側は断面櫛歯状の段部６８を有している。そして、段部６８によって、内部の圧力による薬剤１８の漏れを防ぐ。
【００６７】
また、図９に示されるような薬剤貯留部材７０を用いることができる。
薬剤貯留部材７０は、図７に示される薬剤貯留部材５０のように中芯部材５８が設けられておらず、図８に示される薬剤貯留部材６０と同様に、薬剤１８が容器７１に直接充填されている。そして、容器７１の開口１２ａには、繊維束７３を有しており、繊維束７３の外部に露出した部分が薬剤露出部１７となる。また、繊維束７３と、薬剤１８の間にはボール状の弁体４９及び付勢部材７６からなる弁機構７５が設けられている。
【００６８】
弁体４９は、通常、付勢部材７６によって先端側に付勢されており、また、弁体４９と繊維束７３とは連動する。そして、弁体４９が付勢されているので、通常は、薬剤１８の開口１２ａへの流路が封鎖され、薬剤露出部１７への薬剤１８の供給を絶つ。そして、薬剤露出部１７側から、付勢部材７６による付勢力に打ち勝つ力が作用すると、弁体７５が開放状体となり、薬剤露出部１７への薬剤１８の供給が可能となる。
なお、図９に示す状態は、薬剤露出部１７側から押圧されて、弁体４９が開いた状態を示している。
【００６９】
また、図９に示されるように、容器７１の後端側には尾栓７７を有し、さらに、尾栓７７と薬剤１８との間にはフォロア７８を有している。フォロア７８は薬剤１８の後端側に位置している。
そして、使用の際に繊維束７３が押されると、薬剤１８が薬剤露出部１７に供給され、それに伴って、フォロア７８も移動する。
【００７０】
また、図１０に示されるような薬剤貯留部材８０を用いることができる。
薬剤貯留部材８０は容器８１を有し、図９に示される薬剤貯留部材７０と同様に、容器８１に直接薬剤１８が充填され、容器８１内部に弁機構８３が設けられている。弁機構８３は弁体４９及び付勢部材８５からなる。
【００７１】
そして、薬剤貯留部材８０は上記した薬剤貯留部材５０、６０、７０と同様に繊維束８４を有し、繊維束８４の露出した部分が薬剤露出部１７となっている。さらに繊維束８４の後端側と、薬剤１８の間に弁体４９が配置されている。
【００７２】
通常は弁体４９は付勢部材８５によって、薬剤１８の開口１２ａへの流路が封鎖されており、繊維束８４を後端側に押すと弁体４９が開いて、薬剤１８を薬剤露出部１７に供給することができる。
【００７３】
このように、図９、図１０に示されるような弁体４９を有し、薬剤露出部１７を押すことによって薬剤１８の供給を行う薬剤貯留部材７０、８０を用いることにより、必要な時に薬剤１８を供給することができる。すなわち、把持部１４、３４の内部に薬剤露出部１７に当接する部分を設け、薬剤１８を供給する場合に、薬剤貯留部材７０、８０を当該部分に薬剤露出部１７を当接させることにより、薬剤１８を供給することができる。
【００７４】
また、上記の実施形態では本体部材１１、３１は、団扇状であったが、手動により風を起こすことが可能であれば、他の形状を採用することができる。
【００７５】
そして、第１の実施形態のように把持部１４に設けられた貫通孔１６を、第２の実施形態の把持部１４に設けることもできる。この場合には、薬剤１８の拡散を貫通孔１６及び拡散シート３３ｂの両方から行うことができる。
【００７６】
薬剤貯留部材５０、６０、７０、８０に設けられる薬剤露出部１７の毛管力と拡散シート３３ｂの毛管力とを変えて、浸透を促進させることができる。具体的には、薬剤露出部１７の毛管力を拡散シート３３ｂの毛管力より小さくして、薬剤露出部１７から拡散シート３３ｂへの浸透をより向上させる。
また、図７に示されるように、薬剤１８を中芯部材５８の繊維部５８ｂに保持している場合には、薬剤露出部１７の毛管力を繊維部５８ｂの毛管力より大きくすることにより薬剤露出部１７への浸透がより向上する。
【００７７】
上記の一方の毛管力を大きくするものを形成する具体的方法として、同じ材質・太さの繊維により構成される材料を用いて内部に繊維同士の分散した空間が設けた部材とし、毛管力を大きくする側の気孔率を小さくして、繊維同士の隙間を小さくすることにより、容易に形成することができる。なお、一方のものの毛管力を強くすることができれば、このようなものでなくともよい。
【図面の簡単な説明】
【００７８】
【図１】本発明の第１の実施形態の薬剤拡散装置を示した正面図及び底面図である。
【図２】本発明の第１の実施形態の薬剤貯留部材を示した正面図及び底面図である。
【図３】本発明の第２の実施形態の薬剤拡散装置を示した正面図及び底面図である。
【図４】本発明の第２の実施形態の骨部及び把持部の正面図である。
【図５】本発明の第２の実施形態の拡散シートを示した正面図である。
【図６】本発明の第２の実施形態の薬剤貯留部材を示した正面図及び底面図である。
【図７】薬剤貯留部材の変形例を示した断面図である。
【図８】薬剤貯留部材の変形例を示した断面図である。
【図９】薬剤貯留部材の変形例を示した断面図である。
【図１０】薬剤貯留部材の変形例を示した断面図である。
【図１１】（ａ）〜（ｃ）は容器と把持部との係合状態を示した断面図である。
【符号の説明】
【００７９】
１、２  薬剤拡散装置
１１、３１  本体部材
１２ａ  開口
１２、５０、６０、７０、８０  薬剤貯留部材
１３  板状部
１４、３４  把持部
１６  貫通孔
１７  薬剤露出部
１８  薬剤
４９  弁体
５１  キャップ
５３、６３、７１、８１  容器
【図１】
2005229931.tif 000003
【図２】
2005229931.tif 000004
【図３】
2005229931.tif 000005
【図４】
2005229931.tif 000006
【図５】
2005229931.tif 000007
【図６】
2005229931.tif 000008
【図７】
2005229931.tif 000009
【図８】
2005229931.tif 000010
【図９】
2005229931.tif 000011
【図１０】
2005229931.tif 000012
【図１１】
2005229931.tif 000013